(57)【要約】      （修正有）【課題】箱型荷台の角部にコーナーカバーを配設するに際し、外観のデザイン性を向上させると共に、取り付ける際の作業効率を向上させるコーナーカバー、及びその保持構造を提供する。【解決手段】箱型荷台の天面パネル２０の各辺が接続される角部に配設されるコーナーカバー５０には、角部の上面に位置付けられる天面部５１と、天面部５１から垂下され角部の前方、又は後方のいずれかに位置付けられる第１の側面部５２と、天面部５１から垂下され角部の幅方向の側面に位置付けられると共に第１の側面部５２と直角をなす第２の側面部５３と、が備えられており、第１の側面部５２及び第２の側面部５３の少なくともいずれか一方の内側面に、天面パネル２０の外縁部に配設されたルーフレール２２の長手方向の端部に係合する第１の爪部５２ａ、５３ａを備える。【選択図】図２
2018052221.tif 000002
【特許請求の範囲】
【請求項１】
荷室上方を区画する天面パネルと荷室前後の側面及び幅方向の側面を区画する側面パネルとにより構成される箱型荷台の前記天面パネルの各辺が接続される角部に配設されるコーナーカバーであって、
前記コーナーカバーには、前記角部の上面に位置付けられる天面部と、前記天面部から垂下され前記角部の前方、又は後方のいずれかに位置付けられる第１の側面部と、前記天面部から垂下され前記角部の幅方向の側面に位置付けられると共に前記第１の側面部と直角をなす第２の側面部と、が備えられており、
前記第１の側面部及び第２の側面部の少なくともいずれか一方の内側面に、前記天面パネルの外縁部に配設されたルーフレールの長手方向の端部に係合する第１の爪部が備えられているコーナーカバー。
【請求項２】
前記第１の爪部は、前記第１の側面部、及び前記第２の側面部の双方に配設されている請求項１に記載のコーナーカバー。
【請求項３】
前記第１の側面部と、前記第２の側面部とは、両者を曲面で接続する接続部により接続され、前記接続部の内側面には、前記荷室の前方の側面パネルと幅方向の側面パネルとを接続する隅柱の上端部に係合する第２の爪部が備えられている請求項１、又は２に記載のコーナーカバー。
【請求項４】
前記接続部の内側面には前記天面部から垂下されるリブが形成されており、前記第２の爪部は、前記リブの下端部によって形成されている請求項３に記載のコーナーカバー。
【請求項５】
請求項１、又は２に記載されたコーナーカバーを、箱型荷台の荷室上方を区画する天面パネルと、荷室前方又は後方の側面を区画する側面パネルと、荷室の幅方向の側面を区画する側面パネルとを突き合わせて形成される角部に保持する保持構造であって、
前記天面パネルの外縁部に配設されたルーフレールは、前記側面パネルの上端部に当接されるフランジ部と、前記フランジ部から立設される起立壁部とから少なくとも構成されると共に、
前記コーナーカバーの第１の爪部が、前記起立壁部の長手方向の端部に係合することにより前記コーナーカバーが前記角部に保持される保持構造。
【請求項６】
請求項３、又は４に記載されたコーナーカバーを、箱型荷台の荷室上方を区画する天面パネルと、荷室前方の側面を区画する側面パネルと、荷室の幅方向の側面を区画する側面パネルとを突き合わせて形成される角部に保持する保持構造であって、
前記天面パネルの外縁部に配設されたルーフレールは、前記側面パネルの上端部に当接されるフランジ部と、前記フランジ部から立設される起立壁部とから少なくとも構成されると共に、
前記荷室前方の側面パネル及び幅方向の側面パネルを接続する隅柱が配設され、
前記コーナーカバーの第１の爪部が、前記起立壁部の長手方向の端部に係合すると共に、前記第２の爪部が、前記隅柱の上端部に係合することにより前記コーナーカバーが前記角部に保持される保持構造。
【請求項７】
前記隅柱の上端部には、コーナー部材が配設され、前記第２の爪部は、前記コーナー部材に係合するように構成される請求項６に記載の保持構造。
【請求項８】
前記起立壁部の長手方向の端部には、係合用の段差部が形成され、前記第１の爪部が前記係合用の段差部に係合される請求項５ないし７のいずれかに記載の保持構造。
【発明の詳細な説明】
【技術分野】
【０００１】
本発明は、箱型荷台の天面パネルと側面パネルとにより形成される角部を覆うコーナーカバー、及び該コーナーカバーの保持構造に関する。
【背景技術】
【０００２】
貨物輸送用の車両であるトラックの荷台として、矩形状の天面パネルと複数の矩形状側面パネルとを有する箱型荷台が知られている。該箱型荷台は、前壁と後壁（一般的には開閉扉）を構成する側面パネルと、幅方向の側面を構成する側面パネルとが隅柱により接続され、さらに、各側面パネルの上端部に配設されたサイドレールと、該天面パネルの外縁部に配設されたルーフレールとが結合されて直方体形状に構成される。そして、該天面パネルと側面パネルとで形成される各角部には、該角部を覆うコーナーカバーが配設される（例えば、特許文献１を参照。）。
【先行技術文献】
【特許文献】
【０００３】
【特許文献１】特開平１０−０１６８２５号公報
【発明の概要】
【発明が解決しようとする課題】
【０００４】
前記コーナーカバーを箱型荷台の角部に配設する場合、一般的にコーナーカバーを構成する３面をリベットあるいはビス等により固定する方法が選択される。しかし、該コーナーカバーに対し、上方、及び側面からリベット等を打ち込み固定しようとすると、作業工数が多くなり生産性が悪いという問題がある。また、側面側からリベット等により固定すると、外観のデザイン性が低下するため、リベットによる固定を天面パネル側（上方側）からのみに留め、側面側は、リベット止めをせず、コーナーカバーの内壁面に接着剤を塗布する等して、該角部に保持するようにして水密に固着させることが考えられる。
【０００５】
しかし、側面側のリベット止めを廃止する上記のような方法によってコーナーカバーを固定しようとする場合、該角部の上方からリベット等により固定するまでは、コーナーカバーの位置が定まらず、作業性を悪化させる。また、上方からのみリベット止めを行う場合に、角部を構成する３面に対してコーナーカバーを密着させるための位置決めに神経を使い、作業効率を低下させるという問題がある。
【０００６】
本発明は、上記事実に鑑みなされたものであり、その主たる技術課題は、荷室上方を区画する天面パネルと荷室前後の側面及び幅方向の側面を区画する側面パネルとにより構成される箱型荷台の前記天面パネルの各辺が接続される角部にコーナーカバーを配設するに際し、外観のデザイン性を向上させると共に、該コーナーカバーを取り付ける際の作業効率を向上させることができるコーナーカバー、及び該コーナーカバーの保持構造を提供することにある。
【課題を解決するための手段】
【０００７】
上記主たる技術課題を解決するため、本発明によれば、荷室上方を区画する天面パネルと荷室前後の側面及び幅方向の側面を区画する側面パネルとにより構成される箱型荷台の前記天面パネルの各辺が接続される角部に配設されるコーナーカバーであって、
前記コーナーカバーには、前記角部の上面に位置付けられる天面部と、前記天面部から垂下され前記角部の前方、又は後方のいずれかに位置付けられる第１の側面部と、前記天面部から垂下され前記角部の幅方向の側面に位置付けられると共に前記第１の側面部と直角をなす第２の側面部と、が備えられており、
前記第１の側面部及び第２の側面部の少なくともいずれか一方の内側面に、前記天面パネルの外縁部に配設されたルーフレールの長手方向の端部に係合する第１の爪部が備えられているコーナーカバーが提供される。
【０００８】
前記第１の爪部は、前記第１の側面部、及び前記第２の側面部の双方に配設されていることが好ましい。また、前記第１の側面部と、前記第２の側面部とは、両者を曲面で接続する接続部により接続され、前記接続部の内側面には、前記荷室の前方の側面パネルと幅方向の側面パネルとを接続する隅柱の上端に係合する第２の爪部が備えられていることが好ましい。さらに、前記接続部の内側面には前記天面部から垂下されるリブが形成され、前記第２の爪部は、前記リブの下端部によって形成されていることが好ましい。
【０００９】
また、本発明によれば、上記したコーナーカバーを、荷室上方を区画する天面パネルと、荷室前方又は後方の側面を区画する側面パネルと、荷室の幅方向の側面を区画する側面パネルとを突き合わせて形成される角部に保持する保持構造であって、
前記天面パネルの外縁部に配設されたルーフレールは、前記側面パネルの上端部に当接されるフランジ部と、前記フランジ部から立設される起立壁部とから少なくとも構成されると共に、
前記コーナーカバーの第１の爪部が、前記起立壁部の長手方向の端部に係合することにより前記コーナーカバーが前記角部に保持される保持構造が提供される。
【００１０】
さらに、本発明によれば、上記した第１の爪部、及び第２の爪部を備えたコーナーカバーを、荷室上方を区画する天面パネルと、荷室前方の側面を区画する側面パネルと、荷室の幅方向の側面を区画する側面パネルとを突き合わせて形成される角部に保持する保持構造であって、
前記天面パネルの外縁部に配設されたルーフレールは、前記側面パネルの上端部に当接されるフランジ部と、前記フランジ部から立設される起立壁部とから少なくとも構成されると共に、
前記荷室前方の側面パネル及び幅方向の側面パネルを接続する隅柱が配設され、
前記コーナーカバーの第１の爪部が、前記起立壁部の長手方向の端部に係合すると共に、前記第２の爪部が、前記隅柱の上端部に係合することにより前記コーナーカバーが前記角部に保持される保持構造が提供される。
【００１１】
前記隅柱の上端部には、コーナー部材が配設され、前記第２の爪部は、前記コーナー部材に係合することができる。さらには、前記起立壁部の長手方向の端部には、係合用の段差部が形成され、前記第１の爪部が前記係合用の段差部に係合されるように構成することが好ましい。
【発明の効果】
【００１２】
本発明に基づいて構成されるコーナーカバーは、コーナーカバーが配設される箱型荷台の角部の上面に位置付けられる天面部と、前記天面部から垂下され前記角部の前方、又は後方のいずれかに位置付けられる第１の側面部と、前記天面部から垂下され前記角部の幅方向の側面に位置付けられると共に前記第１の側面部と直角をなす第２の側面部と、が備えられており、前記第１の側面部及び第２の側面部の少なくともいずれか一方の内側面に、前記天面パネルの外縁部に配設されたルーフレールの長手方向の端部に係合する第１の爪部が備えられていることから、箱型荷台の角部にコーナーカバーを保持させるに当たり、ルーフレールの端部に該第１の爪部を係合させることで、ルーフレールに対する位置決めを容易に、しかも正確に成すことができ、コーナーカバーを設置する際の作業効率が向上する。さらに、コーナーカバーの側面側を、リベット等の固定部材を使用せず該角部に保持させることができるため、外観性が悪化することがない。
【００１３】
本発明に基づいて構成されるコーナーカバーの前記第１の爪部を、前記第１の側面部、及び前記第２の側面部の双方に配設することにより、前記角部における箱型荷台の前後方向、及び幅方向の双方に対してコーナーカバーの移動を規制し、正確に位置付けることができる。
【００１４】
本発明に基づいて構成されるコーナーカバーは、前記第１の側面部と、前記第２の側面部とが、両者を曲面で接続する接続部により接続され、前記接続部の内側面に、前記荷室の前方の側面パネルと幅方向の側面パネルとを接続する隅柱の上端に係合する第２の爪部が備えられていることにより、前記角部に保持されるコーナーカバーをより正確に位置付け、該角部に保持する際の安定性が向上する。さらに、前記第２の爪部を、前記接続部の内側面に前記天面部から垂下されるように形成したリブの下端部に形成すれば、コーナーカバーの強度を向上させる効果も合わせて得ることができる。
【００１５】
本発明に基づいて構成されるコーナーカバーの保持構造によれば、前記コーナーカバーを、荷室上方を区画する天面パネルと荷室前方の側面及び幅方向の側面を区画する側面パネルとにより構成される箱型荷台の前記天面パネルの各辺が接続される角部に保持する保持構造であって、前記天面パネルの外縁部に配設されたルーフレールは、前記側面パネルの上端部に当接されるフランジ部と、前記フランジ部から立設される起立壁部とから少なくとも構成されると共に、前記コーナーカバーの第１の爪部が、前記起立壁部の長手方向の端部に係合することにより前記コーナーカバーが前記角部に保持されるので、箱型荷台の角部にコーナーカバーを保持させるにあたり、ルーフレールに対する位置決めを容易に、しかも正確に成すことができ、コーナーカバーを取り付ける作業効率が向上する。さらに、リベット等の固定部材を要せず該角部にコーナーカバーを保持させることができるため、外観性が悪化することがない、という作用効果を奏する。
【００１６】
また、前記第１の爪部、第２の爪部を備えたコーナーカバーを保持させるに当たり、前記天面パネルの外縁部に配設されたルーフレールは、前記側面パネルの上端部に当接されるフランジ部と、前記フランジ部から立設される起立壁部とから少なくとも構成されると共に、前記荷室の前方の側面パネル及び幅方向の側面パネルを接続する隅柱が配設され、
前記コーナーカバーの第１の爪部が、前記係合用の段差部に係合すると共に、前記第２の爪部が、前記隅柱の上端部に係合することにより前記コーナーカバーが前記角部に保持されるようにしたので、より安定的に前記コーナーカバーを保持させることができる。
【００１７】
さらに、前記起立壁部の長手方向の端部に、係合用の段差部が形成され、前記第１の爪部が前記係合用の段差部に係合されるように構成することで、前記コーナーカバーを保持する際の上下方向、水平方向の移動を良好に規制し、より安定的に保持する保持構造を得ることが可能となる。
【図面の簡単な説明】
【００１８】
【図１】本発明に基づき構成されるコーナーカバー、及びコーナーカバーの保持構造が適用された箱型荷台を示す全体斜視図である。
【図２】本発明のコーナーカバー、及びコーナーカバーの保持構造の実施形態を説明するための説明図である。
【図３】図１にＡ−Ａ線、Ｂ−Ｂ線で示す部位の拡大断面図である。
【図４】本発明のコーナーカバー、及びコーナーカバーの保持構造の他の実施形態を説明するための説明図である。
【図５】図１にＣ−Ｃ線で示す部位の拡大断面図である。
【発明を実施するための形態】
【００１９】
以下、本発明によるコーナーカバー、及びコーナーカバーの保持構造の実施形態について添付図面を参照して、詳細に説明する。
【００２０】
図１には、本発明に基づき構成されたコーナーカバー（第１のコーナーカバー５０、第２のコーナーカバー６０）が適用された車両用の箱型荷台１０が示されている。箱型荷台１０は、荷室の上壁を構成する天面パネル２０と、荷室前後の壁面を構成する側面パネル３０と、幅方向の側壁を構成する側面パネル４０とから構成され、直方体形状を成している。なお、一般的には、箱型荷台の後壁は開閉可能な扉構造になっているが、本明細書では該扉を構成するパネルも側面パネルと称する。また、荷室の幅方向の側壁を構成する側面パネル４０には、作業者が荷室内に出入りするための出入り口が設けられるが、本発明の要部を構成しないため、図では省略している。
【００２１】
箱型荷台１０を構成する天面パネル２０と、各側面パネル３０、４０とは、天面パネル２０の外縁部に配設されるルーフレール２２を介して接続される。天面パネル２０、前壁を構成する側面パネル３０、幅方向の側壁を構成する側面パネル４０の各面の角部が突き合わされ形成される角部には、図中一点鎖線で囲む部分Ｘに示す第１のコーナーカバー５０が配設される。また、天面パネル２０、後壁を構成する側面パネル３０、幅方向の側壁を構成する側面パネル４０の各面の角部が突き合わされる角部には、図中一点鎖線で囲む部分Ｙに示す第２のコーナーカバー６０が配設される。
【００２２】
図１に加え、図２、３に基づいて、前記第１のコーナーカバー５０と、第１のコーナーカバー５０が前記角部に保持される保持構造について説明する。図２（ａ）に示すように、第１のコーナーカバー５０が配設される角部は、箱型荷台の上壁を構成する天面パネル２０と、前壁を構成する側面パネル３０と、幅方向の側壁を構成する側面パネル４０とが突き合わされ形成される角部であり、側面パネル３０と側面パネル４０とは、上下方向に延びる隅柱３２により連結されている。隅柱３２の上端部には、コーナー部材３３が配設されており、コーナー部材３３は、側面パネル３０の上縁部と側面パネル４０の上縁部とを連結する底部３４と、底部３４の外側端部から上方に立設される外側壁３５と、底部３４の内側端部から上方に立設される内側壁３６とからなり、底部３４の略中央で、隅柱３２の上方に位置する場所にルーフレール２２の内部に進入した雨水を、隅柱３２の内部に設けられる排水路を介して箱型荷台１０の下部に排出するための排水口３７が形成されている。
【００２３】
天面パネル２０の各辺を構成する外縁部には、ルーフレール２２が配設されている。ルーフレール２２は、側面パネル３０、４０の上縁部とコーナー部材３３に跨って当接されるフランジ部２３と、フランジ部２３の外側端部から上方に延びその上端部で天面パネル２０を支持するパネル支持部２５を備えた支持壁部２４とから構成されている。ルーフレール２２の長手方向の端部には、側方に向けて開放された凹形状をなす切欠き部２６が形成され、該切欠き２６が設けられることにより、下側に段差部２６ａが形成される。
【００２４】
図２（ａ）に示す第１のコーナーカバー５０を、内側の斜め下方から見た図を図２（ｂ）に示す。第１のコーナーカバー５０は、前記角部の上面に位置付けられる天面部５１と、天面部５１から垂下され前記角部の前方に配設される側面パネル３０側に位置付けられる第１の側面部５２と、天面部５１から垂下され前記角部の幅方向の側面パネル４０側に位置付けられると共に第１の側面部５２と直角をなす第２の側面部５３と、が備えられており、第１の側面部５２及び第２の側面部５３の内面のそれぞれには、ルーフレール２２の長手方向の端部に設けられた段差部２６ａに係合する第１の爪部５２ａ、５３ａが備えられている。また、第１の側面部５２と、第２の側面部５３とは、両者を曲面で接続する接続部５４により接続され、前記接続部５４の内面には、天面部５１から垂下され上下方向に延びるリブ５４ａが形成されており、リブ５４ａの下端部には第２の爪部５５ｂが形成されている。
【００２５】
図２（ｂ）を参照しつつ、第１の爪部５２ａ、５３ａについてさらに詳述する。第１の爪部５２ａ、５３ａは、第１の側面部５２、第２の側面部５３から立設され水平方向に延びる支持壁５２ｂ、５３ｂと、第１の側面部５２、第２の側面部５３から立設され上下方向に延びる支持壁５２ｃ、５３ｃと、により支持される。その結果、第１の爪部５２ａ、５３ａは、下方側方向と、接続部５４と反対側の方向に開放された形状になっている。なお、該第１のコーナーカバー５０における水平方向、上下方向とは、箱型荷台１０に取り付けられた状態での水平方向、上下方向を意味する。
【００２６】
第１のコーナーカバー５０は、概ね以上のように形成されており、前記角部に第１のコーナーカバー５０を保持させる保持構造についてさらに説明する。第１のコーナーカバー５０を前記角部に保持させる場合は、図２（ａ）に示すように、上方から第１のコーナーカバー５０を下降させる。図１のＡ−Ａ線の拡大断面図として示す図３（ａ）に示すように、第１のコーナーカバー５０を下降させながら、第１の爪部５２ａ、５３ａをルーフレール２２の端部に形成した切欠き２６に上方から挿入し、段差部２６ａに係合させる。その結果、段差部２６ａの上端は、第１の爪部５２ａ、５３ａを支持する支持壁５２ｂ、５３ｂに当接させられる。また、第１の爪部５２ａ、５３ａを段差部２６ａに係合すると共に、図１の領域ＸのＢ−Ｂ線の拡大断面図として示す図３（ｂ）に示すように、第２の爪部５４ｂを、隅柱３２の上端に配設されたコーナー部材３３の外側壁３５の上縁に係合させる。これにより、第１のコーナーカバー５０は、二つの第１の爪部５２ａ、５３ａ、及び第２の爪部５４ｂの３箇所で該角部に支持される。なお、図３（ａ）には明示されていないが、上述したように、第１の爪部５２ａ、５３ａを支持し上下方向に延びる支持壁５２ｃ、５３ｃが段差部２６ａの側面側に当接することにより、前記角部に第１のコーナーカバー５０を保持させる際の水平方向への移動が規制され、第１のコーナーカバー５０は、より正確に前記角部に位置付けられる。そして、第１のコーナーカバー５０が上述した手順により前記角部に保持された後、天面部５１側からのみ、ルーフレール２２、もしくは天面パネル２０に対して上方からリベット止めし、第１のコーナーカバー５０は、前記角部に対して完全に固定される。なお、第１のコーナーカバー５０の外周の隙間部分に雨水の進入を防止するためのシーリング剤を塗布することにより、雨水の進入を防止することができる。
【００２７】
本発明のコーナーカバー、及びコーナーカバーの保持構造は、箱型荷台の前方の角部に配設された上記実施形態に限定されず、種々の変形例が想定される。以下に図４、５に基づいて実現される他の実施形態について説明する。
【００２８】
図４（ａ）には、図１のＹで示す後方側の角部に配設される第２のコーナーカバー６０を内側の斜め下方から見た構成を示している。第２のコーナーカバー６０は、第２のコーナーカバー６０が配設される角部の上面に位置付けられる天面部６１と、天面部６１から垂下され前記角部の後方に位置付けられる第１の側面部６２と、天面部６１から垂下され前記角部の幅方向に位置付けられると共に第１の側面部６２と直角をなす第２の側面部６３とからなり、第１の側面部６２には、箱型荷台の前方に向けて立設されルーフレール２２の端部に係合される第１の爪部６４が備えられている。第２のコーナーカバー６０は、概ね以上のように構成されており、図４（ｂ）に基づいて、前記角部に保持させる保持構造について説明する。
【００２９】
図に示すように、第２のコーナーカバー６０は、天面パネル２０の幅方向に位置するルーフレール２２の後端部に対して、後方から組み付けられ、ルーフレール２２の上面に天面部６１が位置付けられると共に、図１のＣ−Ｃ線で示す部位の拡大断面図である図５に示すように、第１の爪部６４をルーフレール２２の後端部に係合させる。また、この際、第２のコーナーカバー６０の第１の側面部６２は、ルーフレール２２の端部を閉塞する機能を奏し、ルーフレール２２の内部に雨水が進入することを防止する。この場合、ルーフレール２２の該端部と、第１の側面部６２との間に形成される隙間は、適宜シーリング剤等で埋めるとよい。
【００３０】
以上のようにして、第２のコーナーカバー６０を構成する第１の爪部６４が、ルーフレール２２の長手方向の端部に係合させられ、第２のコーナーカバー６０は、前記角部に保持される。第２のコーナーカバー６０が前記角部に保持されたならば、ルーフレール２２、もしくは天面パネル２０に対して上方からリベット止めし、第２のコーナーカバー６０は、前記角部に対して完全に固定される。なお、第１のコーナーカバー５０と同様に、第２のコーナーカバー６０の外周の隙間部分に雨水の進入を防止するためのシーリング剤を塗布してもよい。
【符号の説明】
【００３１】
１０：箱型荷台
２０：天面パネル
２２：ルーフレール
２３：フランジ部
２４：支持壁部
２５：パネル支持部
２６：切欠き
２６ａ：段差部
３０：側面パネル
３２：隅柱
３３：コーナー部材
３４：底部
３５：外側壁
３６：内側壁
３７：排水口
４０：側面パネル
５０：第１のコーナーカバー
５２：第１の側面部
５２ａ、５３ａ：第１の爪部
５３：第２の側面部
５４：接続部
５４ａ：リブ
５４ｂ：第２の爪部
６０：第２のコーナーカバー
６１：天面部
６２：第１の側面部
６３：第２の側面部
６４：第１の爪部
【図１】
2018052221.tif 000003
【図２】
2018052221.tif 000004
【図３】
2018052221.tif 000005
【図４】
2018052221.tif 000006
【図５】
2018052221.tif 000007